(57)【要約】    【課題】パチンコ機に対する不正行為を効果的に監視でき、既存の設備に非常に容易で安価に導入できる上、店員によるメンテナンス作業を許可する状態であるか否かが明確にわかる遊技機用の監視システムを提供する。    【解決手段】各パチンコ機１の上方に設置され、遊技情報等を表示する情報表示装置２０１は、店員カード２４９を挿入する店員カード挿入部８８と、挿入された店員カード２４９を検知するとともに、パチンコ機１に設置されたＩＣタグと無線通信を行い、パチンコ機１を監視するＲ／Ｗユニット６６と、認識したことを報知する報知ランプ２１０を備え、挿入された店員カード２４９をＲ／Ｗユニット６６が検知した際には報知ランプ２１０が点灯し、点灯中にＲ／Ｗユニット６６がＩＣタグとの無線通信が中断したことを検出した場合には、エラー処理を行わないよう制御する。【選択図】  図１１
2005342024.tif 000002
【特許請求の範囲】
【請求項１】
遊技機に取り付けられたＩＣタグと無線通信を行うことで遊技機の監視を行う監視制御装置を有する遊技機用監視システムであって、
前記ＩＣタグと繰り返し無線通信を行うＩＣタグ通信制御手段と、
前記ＩＣタグと無線通信が中断した場合にエラーと判断するエラー判断手段と、
当該エラー判断手段によりエラーと判断された場合に、エラーに対する処理を行うエラー処理手段と、
所定の外部入力がなされたことを検知する外部入力検知手段と、
前記外部入力検知手段が所定の外部入力を検知した際に報知を開始する報知手段と、
当該報知手段による報知中は、前記エラー判断手段によりエラーと判断されても、前記エラー処理手段によるエラー処理を行わないよう制御するエラー処理禁止手段とを備えたことを特徴とする遊技機用監視システム。
【請求項２】
前記エラー処理は、エラーの発生した日付、エラーの発生した時刻、および、エラーが発生したＩＣタグを特定する情報のうちの少なくともひとつを含む、エラー発生に関する情報であるエラー情報を報知することであることを特徴とする請求項１に記載の遊技機用監視システム。
【請求項３】
ＩＣタグを備えた認証部材を備えており、
前記所定の外部入力は、前記認証部材のＩＣタグからの反射波の受信であることを特徴とする請求項１又は２に記載の遊技機用監視システム。
【請求項４】
前記外部入力検知手段、前記監視制御装置、もしくは前記報知手段の少なくともひとつが、前記遊技機以外のところに取り付けられていることを特徴とする請求項１乃至３のいずれかに記載の遊技機用監視システム。
【請求項５】
前記遊技機が設置される設置台に取り付けられ、当該遊技機の遊技に関連する情報を表示する情報表示装置を備え、
前記外部入力検知手段、前記監視制御装置、もしくは前記報知手段の少なくともひとつは前記情報表示装置に備えられていることを特徴とする請求項１乃至４のいずれかに記載の遊技機用監視システム。
【発明の詳細な説明】
【技術分野】
【０００１】
本発明は、パチンコ機等の遊技機に対する不正行為の有無を監視するための遊技機用監視システムに関するものである。
【背景技術】
【０００２】
従来、遊技機の一種であるパチンコ機においては、作動内容を制御するプログラム等が記憶されたＲＯＭ等の制御素子を偽造されたものにすり替える不正行為が行われることがある。このため、かかる不正行為を防止するために、制御素子を収納した制御基板収納ボックスに封印シールを貼付したり、閉じる方向にのみ回転する封印ビスにより制御基板収納ボックスをかしめたりすることによって、開放を困難にする方法が考案されている（たとえば、特許文献１参照）。
【０００３】
ところが、上記した封印シールを用いるものでは、制御基板収納ボックスを開放して偽造されたＲＯＭへの交換が行われた後に、精巧な偽造封印シールを貼られてしまうと不正行為が行われたか否かを判断することができなくなる。また、封印ビスを用いる不正防止方法においては、封印ビスを特殊な工具で強制的に開放方向に回転させることにより制御基板収納ボックスが開放されてしまうおそれがある。
【０００４】
それゆえ、出願人は、制御基板収納ボックスを構成する分割式収納ケースにＩＣタグとアンテナとを別々に設置し、監視制御装置を利用してＩＣタグとアンテナとの間で無線通信を短時間の周期で繰り返し実行させることによって、制御基板収納ボックスの不正開放の有無を監視する自動監視システムについて提案した（たとえば、特許文献２参照）。
【０００５】
さらに、出願人は、上記の如きＩＣタグとアンテナとを利用した遊技機の自動監視システムにおいて、パチンコホールの店員がパチンコ機のメンテナンス作業を実行する際に警報の発生を一時的に停止させることを可能とすべく、店員が有するカードに内蔵された認証タグと無線通信可能な認証アンテナをパチンコ機の前面に設置し、認証タグと認証アンテナとの無線通信において所定の条件が充足された場合に、監視制御装置による監視態様を非報知態様に切り替える技術についても提案した（特願２００３−２７６１６４号の明細書および図面参照）。上記したＩＣタグとアンテナにより不正の有無を監視する方法によれば、制御基板収納ボックスに対する不正行為を効率的に監視することができる。
【特許文献１】特開平１０−２１６３２４号公報
【特許文献２】特開２００４−６５８０１号公報
【発明の開示】
【発明が解決しようとする課題】
【０００６】
しかしながら、すでにパチンコホールに設置されている遊技機に、かかる不正監視システムを導入しようとすると、遊技機やそれを設置するパチンコホールの設備の変更を余儀なくされることとなり、設備改造に多大な手間とコストを要してしまう。
【０００７】
一方、認証タグと無線通信可能な認証アンテナをパチンコ機の前面に設置する技術によれば、効率的な不正監視と容易なメンテナンス作業を同時に実現させることができるものの、そのような認証アンテナを既存のパチンコ機の筐体に設置するのは、きわめて困難である。
【０００８】
また、店員が有するカードに内蔵された認証タグと無線通信可能な認証アンテナをパチンコ機の前面に設置し、認証タグと認証アンテナとの無線通信において所定の条件が充足された場合に、監視制御装置による監視態様を非報知態様に切り替える技術についても、監視制御装置による監視態様が非報知態様に切り替わったどうかが外から見て不明なため、切り替わっていないにもかかわらず、店員が遊技機を触ってしまうと、エラーとなってしまうことが想定される。
【０００９】
本発明の目的は、上記従来の不正防止手段が有する問題点を解消し、遊技機に対する不正行為を効果的に監視できるとともに、既存の設備に非常に容易で、かつ安価に導入することができる上、店員によるメンテナンス作業の可能状態である非報知態様状態であることが明確にわかる遊技機用の監視システムを提供することにある。
【課題を解決するための手段】
【００１０】
上記課題を解決するため、請求項１に係る発明の遊技機用監視システムでは、遊技機に取り付けられたＩＣタグと無線通信を行うことで遊技機の監視を行う監視制御装置を有する遊技機用監視システムであって、前記ＩＣタグと繰り返し無線通信を行うＩＣタグ通信制御手段と、前記ＩＣタグと無線通信が中断した場合にエラーと判断するエラー判断手段と、当該エラー判断手段によりエラーと判断された場合に、エラーに対する処理を行うエラー処理手段と、所定の外部入力がなされたことを検知する外部入力検知手段と、前記外部入力検知手段が所定の外部入力を検知した際に報知を開始する報知手段と、当該報知手段による報知中は、前記エラー判断手段によりエラーと判断されても、前記エラー処理手段によるエラー処理を行わないよう制御するエラー処理禁止手段とを備えたことを特徴とする構成となっている。
【００１１】
また、請求項２に係る発明の遊技機用監視システムでは、請求項１に記載の発明の構成に加えて、前記エラー処理は、エラーの発生した日付、エラーの発生した時刻、および、エラーが発生したＩＣタグを特定する情報のうちの少なくともひとつを含む、エラー発生に関する情報であるエラー情報を報知することであることを特徴とする構成となっている。
【００１２】
また、請求項３に係る発明の遊技機用監視システムでは、請求項１又は２に記載の発明の構成に加えて、ＩＣタグを備えた認証部材を備えており、前記所定の外部入力は、前記認証部材のＩＣタグからの反射波の受信であることを特徴とする構成となっている。
【００１３】
また、請求項４に係る発明の遊技機用監視システムでは、請求項１乃至３のいずれかに記載の発明の構成に加えて、前記外部入力検知手段、前記監視制御装置、もしくは前記報知手段の少なくともひとつが、前記遊技機以外のところに取り付けられていることを特徴とする構成となっている。
【００１４】
また、請求項５に係る発明の遊技機用監視システムでは、請求項１乃至４のいずれかに記載の発明の構成に加えて、前記遊技機が設置される設置台に取り付けられ、当該遊技機の遊技に関連する情報を表示する情報表示装置を備え、前記外部入力検知手段、前記監視制御装置、もしくは前記報知手段の少なくともひとつは前記情報表示装置に備えられていることを特徴とする構成となっている。
【発明の効果】
【００１５】
請求項１に係る発明の遊技機用監視システムでは、ＩＣタグ通信制御手段は、前記ＩＣタグと繰り返し無線通信を行い、エラー判断手段は、ＩＣタグと無線通信が中断した場合にエラーと判断し、エラー処理手段は、エラー判断手段によりエラーと判断された場合に、エラーに対する処理を行うと、外部入力検知手段は、所定の外部入力がなされたことを検知し、報知手段は、外部入力検知手段が所定の外部入力を検知した際に報知を開始し、エラー処理禁止手段は、報知手段による報知中は、エラー判断手段によりエラーと判断されても、エラー処理手段によるエラー処理を行わないよう制御することができる。したがって、遊技機に対する不正行為の有無を効果的に監視することができる上、報知手段により所定の外部入力があったことが報知され、その報知中にはエラー禁止制御手段により、エラー処理が行われない状態となるので、店員がメンテナンス作業前に所定の外部入力を行えば、店員によるメンテナンス作業をエラー発生としてしまうことがない。また、逆に報知手段による報知が行われていなければ、エラー処理が行われてしまうということが明確にわかるので、その状態で店員がメンテナンス作業をしてしまい、不正行為が行われたのではないにもかかわらずエラー処理が行われてしまうミスを防ぐことができる。
【００１６】
また、請求項２に係る発明の遊技機用監視システムでは、請求項１に記載の発明の効果に加えて、エラー処理として、エラーの発生した日付、エラーの発生した時刻、および、エラーが発生したＩＣタグを特定する情報のうちの少なくともひとつを含む、エラー発生に関する情報であるエラー情報を報知することができるので、エラーの発生に関する情報を知ることができる。
【００１７】
また、請求項３に係る発明の遊技機用監視システムでは、請求項１又は２に記載の発明の効果に加えて、ＩＣタグを備えた認証部材を備えており、認証部材のＩＣタグからの反射波の受信を所定の外部入力とすることができるので、認証部材により、報知手段に放置を行わせ、エラー処理を禁止させることができる。
【００１８】
また、請求項４に係る発明の遊技機用監視システムでは、請求項１乃至３のいずれかに記載の発明の効果に加えて、外部入力検知手段、監視制御装置、もしくは報知手段の少なくともひとつが、遊技機以外のところに取り付けられている。したがって、遊技ホールに設置された既存の遊技機を利用してシステムを導入する場合に、遊技機のスペースを利用することなく、非常に容易に監視制御装置、外部入力検知手段、もしくは報知手段の少なくともひとつを設置することができる。
【００１９】
また、請求項５に係る発明の遊技機用監視システムでは、請求項１乃至４のいずれかに記載の発明の効果に加えて、遊技機が設置される設置台に取り付けられ、遊技機の遊技に関連する情報を表示する情報表示装置を備え、外部入力検知手段、監視制御装置、もしくは報知手段の少なくともひとつは情報表示装置に備えられている。したがって、遊技ホールに設置された既存の遊技機を利用してシステムを導入する場合に、設置スペースを新たに設けることなく、非常に容易に監視制御装置、外部入力検知手段、もしくは報知手段の少なくともひとつを設置することができる。
【発明を実施するための最良の形態】
【００２０】
以下、本発明の一実施形態に係るパチンコ機用の監視システムについて、以下の順序にしたがい、図面に基づいて詳細に説明する。
（１）監視システムの概要
（２）監視システムの構成
（３）監視システムの動作内容
（４）監視システムの効果
（５）監視システムの変更例
【００２１】
（１）監視システムの概要
図１は、本発明の一実施形態に係るパチンコ機用の監視システムＳを示したものであり、図２は、監視システムＳを導入したパチンコホールの外観を示す説明図である。パチンコホールの各設置台（設置島）２０３，２０３・・には、パチンコ機１，１・・が、背中合わせに２列に並べられて設置されている。なお、各パチンコ機１，１・・同士の間には、コインや遊技球等の媒体を貸し出すための貸出装置４４が設けられている。また、各設置台２０３，２０３・・には、各パチンコ機１，１・・と隣接する上方に、遊技情報の表示やパチンコホールの店員の呼び出しのための情報表示装置２０１が設置されており、その情報表示装置２０１には、パチンコ機１を監視するための監視制御装置であるＲ／Ｗユニット６６が内蔵されている。さらに、情報表示装置２０１には、Ｒ／Ｗユニット６６の記憶手段に記憶された「監視履歴情報」を外部に出力するための中継タグ７６、および、後述する店員カード２４９（図１９参照）とＲＦ（Radio Frequency）送受信を実行するための認証用アンテナ２０４が内蔵されている。
【００２２】
各Ｒ／Ｗユニット６６，６６・・は、パチンコ機１の主制御基板３７に接続されており、中継タグ７６および認証用アンテナ２０４とも接続されている。また、各Ｒ／Ｗユニット６６，６６・・および各パチンコ機１，１・・は、設置台２０３の端部に設置され、各パチンコ機１，１・・のエラー発生を報知する警報表示器４５ともＬＡＮケーブル等の配線８１を使用して接続されている。なお、警報表示器４５の正面には、エラー内容を表示する表示器４６が設けられており、上部にエラー時に点灯する警報ランプ４７が設けられている。さらに、各警報表示器４５，４５・・は、パチンコホール全体を管理するホールコンピュータである管理装置３００にも接続されている。
【００２３】
かかる監視システムＳにおいては、設置台２０３に設置された各Ｒ／Ｗユニット６６，６６・・が各パチンコ機１，１・・に設置されたＩＣタグとアンテナとを利用して、各パチンコ機１，１・・に対する不正行為の有無を監視する。また、パチンコホールの店員が、情報表示装置２０１に内蔵された中継タグ７６に携帯型情報端末（以下、ＰＤＡという）９４（図１７参照）を近接させることによって、Ｒ／Ｗユニット６６，６６・・の初期設定をしたり、過去の「監視履歴情報」を容易にチェックしたりすることができる。さらに、情報表示装置２０１の店員カード挿入部８８（図１０参照）に店員カード２４９を挿入し、内蔵された認証用アンテナ２０４と近接させることによって、パチンコ機１のメンテナンス作業を実行する際の警報の発生を停止させる。本実施の形態では、監視が行われ不正行為の可能性があった場合に警報表示器４５に警報を発生させる状態を「通常モード」と呼び、不正行為の可能性があっても警報を発生させない状態を「認証モード」と呼ぶこととする。また、Ｒ／Ｗユニット６６は、店員カード２４９を検知すると、「通常モード」から「認証モード」へ移行され、店員カード２４９の検知を報知する報知手段としての報知ランプ２１０（図１０参照）を有している。
【００２４】
また、本実施の形態では、ＩＣタグとアンテナとの通信が切断した場合には、それに関する情報を「監視情報」として、Ｒ／Ｗユニット６６に記憶する。また、店員カード２４９の挿入を検出した際には、それに関する「アクセス履歴情報」を記録する。さらに、「認証モード」中にＩＣタグとアンテナとの通信が切断した場合は、後述する「作業履歴情報」を記録する。なお、本実施の形態では、これらの「監視情報」、「アクセス履歴情報」、「作業履歴情報」をまとめて「監視履歴情報」と呼ぶこととする。
【００２５】
（２）監視システムの構成
ａ．パチンコ機１の構成
図３〜図５は、パチンコ機１を示したものである。パチンコ機１は、その周囲を機枠２によって支持されており、機枠２の前面には、金属板を折り曲げ形成したミドル枠１０が、左端縁を軸として着脱自在に蝶着されている。そして、ミドル枠１０の前面上側には、略正方形の遊技盤９が設けられているとともに、その遊技盤９を覆うようにガラス枠４が左端縁を軸として着脱自在に蝶着されている。なお、ガラス枠４の中央には、ガラス板が嵌め込まれている（以下、ミドル枠１０、遊技盤９、ガラス枠４等をまとめて遊技枠３という）。また、ガラス枠４の下方には、発射装置５に遊技球を供給するための供給皿６、および供給皿６から溢れた遊技球を貯留するための貯留皿７が設置されている。さらに、貯留皿７の右側には、発射装置５を操作するための発射ハンドル８が取り付けられている。
【００２６】
また、遊技盤９の前面には、誘導レール１２で囲まれた略円形の遊技領域１３が設けられている。そして、その遊技領域１３の略中央には、図柄表示装置１４が設けられており、液晶画面１５に種々の動画やメッセージ等を表示することができるようになっている。さらに、図柄表示装置１４の下側には、図柄始動口１６が設けられており、その図柄始動口１６の下側には、扉部材６１を開閉させる大入賞装置１７が設けられている。また、遊技領域１３の最下位置には、非入賞球を回収するためのアウト口５３が設けられている。加えて、遊技領域１３には、遊技球の落下に変化をもたせるための多数の障害釘や、風車等の遊技部材が設けられているとともに、遊技性を向上させるためのサイドランプ１８、１８・・等が設けられている。
【００２７】
また、図４に示されているように、遊技枠３の開放側の端面には、ＲＦ送受信を行う機枠アンテナ２０が固着されているとともに、機枠２の開放側の側面の内側であって遊技枠３を閉じた際に機枠アンテナ２０と対峙する部位には、機枠アンテナ２０との間でＲＦ送受信を行う機枠タグ２１が固着されている。
【００２８】
図６は、機枠タグ２１の外観を示したものであり、図７は、機枠タグ２１の制御機構を示したブロック図である。機枠タグ２１は、ガラスコンポジット基板２２上に、ＲＦ回路２３とＥＥＰＲＯＭ２４とを一体にしたＩＣチップ２５、およびアンテナ回路２６を設けたものであり、ＲＦ回路２３にＥＥＰＲＯＭ２４とアンテナ回路２６とが接続されている。そして、ＥＥＰＲＯＭ２４の上書消去禁止区域には、機枠タグ２１を他のＩＣタグと識別するための識別情報が記憶されている。
【００２９】
かかる機枠タグ２１は、遊技枠３を閉じた状態で機枠アンテナ２０との間で、所定の周波数（たとえば、１３．５６ＭＨｚ）を利用して、ＲＦ送受信を行うことが可能であり、呼出波を受信すると、予め記憶されている識別情報を含む反射波を、所定の通信範囲（約３ｍｍ）内に出力（返信）するように設定されている。また、反射波の返信は、ＥＥＰＲＯＭ２４からＩＤコード等の識別情報を読み出し、その識別情報を反射波にのせてＲＦ回路２３から送信することによって行われる。さらに、機枠タグ２１は、送信された呼出波をアンテナ回路２６が受信し、呼出波に含まれた搬送波成分をＲＦ回路２３で整流することによって直流電圧を得ることができるため、外部からの電源供給を受けることなく、必要な時にいつでも反射波を返信することができる。
【００３０】
また、図８は、機枠アンテナ２０を示したものであり、機枠アンテナ２０は、ガラスコンポジット（たとえば、ＣＥＭ３）で形成された薄い板状の基板２７の表面に送受信回路２８を渦巻き状に形成したものである。そして、送受信回路２８の両端縁の端子２９、２９に、同軸ケーブル３０が接続されている。かかる機枠アンテナ２０は、同軸ケーブル３０を介して、情報表示装置２０１内のＲ／Ｗユニット６６に接続されている。
【００３１】
一方、図４に示されているように、ガラス枠４の開放側の裏面には、ガラス枠タグ７７が固着されており、遊技盤９の右上方であってガラス枠４を閉じた際にガラス枠タグ７７と対峙する部位には、ガラス枠タグ７７との間でＲＦ送受信を行うガラス枠アンテナ７８が固着されている。ガラス枠タグ７７は、上記した機枠タグ２１と略同様に構成されたものであり、内蔵されたＥＥＰＲＯＭ２４の上書消去禁止区域には、ガラス枠タグ７７を他のＩＣタグと識別するための識別情報が記憶されている。また、ガラス枠アンテナ７８は、機枠アンテナ２０と略同様に構成されたものであり、基板２７上に送受信回路２８を渦巻き状に形成したものである。
【００３２】
また、図５の如く、ミドル枠１０の背面側には機構板３６が設けられており、その機構板３６には、作動内容を制御するための主制御基板ケース３８、賞品球や貸球を払い出すための遊技球払出装置６３等が設置されている。
【００３３】
図９は、主制御基板ケース３８を示したものであり、主制御基板ケース３８は、ＬＳＩ等の各種の制御素子を搭載した主制御基板３７、主制御基板３７を覆うための分割式の収納ケースの前ケース４２および後ケース４３、ケースタグ４０、ケースアンテナ４１等によって構成されている。
【００３４】
主制御基板３７は、縦長の長方形状に形成されており、中央部分の表面には、遊技球の払い出し動作や、遊技者にとって有利な「大当たり状態」を生起させるか否かの「抽選」等の遊技者の利益に直接的に関わるパチンコ機１の各種の動作を制御するためのＬＳＩ５９等の各種の制御素子が搭載されている。なお、ＬＳＩ５９は、各種の演算処理を行うＣＰＵ、データやプログラム等を一時的に記憶するＲＡＭ、各種のデータや制御プログラム等を記憶したＲＯＭ等を一体にモールディングしたものであり、配線８１によってＲ／Ｗユニット６６と電気的に接続されている。
【００３５】
分割式の収納ケースの前ケース４２および後ケース４３は透明な合成樹脂製であり、主制御基板３７を覆うカバーとして機能するものである。後ケース４３は、アクリル等の透明な合成樹脂によって偏平な直方体状に形成されており、支持翼５７の外側には、ケースタグ４０が接着剤等によって強固に接着されている。ケースタグ４０は、上記した機枠タグ２１と略同様に構成されたものであり、ケースタグ４０に設けられたＥＥＰＲＯＭ２４の上書消去禁止区域には、ケースタグ４０を他のＩＣタグと識別するためのＩＤコード等の識別情報が記憶されている。また、前ケース４２は、アクリル等の透明な合成樹脂によって開口した箱状に形成されており、係合翼４８には、ケースアンテナ４１が接着剤等によって強固に接着されている。ケースアンテナ４１は、機枠アンテナ２０と略同様に構成されたものであり、渦巻き状に形成された送受信回路２８の両端縁の端子２９，２９に、同軸ケーブル３０が接続されている。
【００３６】
このように組み立てられた主制御基板ケース３８においては、前ケース４２に固着されたケースアンテナ４１が、後ケース４３に固着されたケースタグ４０を覆い、ケースタグ４０と対峙した状態となっている。
【００３７】
ｂ．情報表示装置の構成
図１０〜図１３は、各パチンコ機１，１・・の上方に設置された情報表示装置２０１を示したものであり、情報表示装置２０１は、合成樹脂によって形成された表カバー５４および裏カバー５５の内部に、発光体１０２，１０２・・、ＬＣＤユニット５２、上ランプ基板５０、右ランプ基板６５、左ランプ基板６４、Ｒ／Ｗユニット６６、中継タグ７６、店員カード用アンテナ２０６、遊技者カード用アンテナ２０５、報知ランプ２１０等を設置したものである（なお、店員カード用アンテナ２０６および遊技者カード用アンテナ２０５とを総称して認証用アンテナ２０４（図１５参照）という）。
【００３８】
表カバー５４の中央内側には、ＬＣＤユニット５２が設置されており、Ｒ／Ｗユニット６６内に蓄積（積算記憶）されたパチンコ機１（隣接したパチンコ機１）に関するデータを、液晶表示方式の表示画面（ＬＣＤ）５１に表示することができるようになっている。また、表示画面５１の上方には、上ランプ４９が設けられており、表示画面５１の左右には、表示画面５１に表示するデータを切り替えたり、パチンコホールの店員を呼び出す際に上ランプ４９を発光させたりするための操作スイッチ５６が設けられている。上ランプ４９は、操作スイッチ５６がプッシュ操作されると、上ランプ基板５０の制御に伴って、内蔵された発光体１０２が発光するようになっている。一方、表示画面５１の左右には、右ランプ５８、左ランプ６０が設けられており、それぞれ、右ランプ基板６５、左ランプ基板６４の制御に伴って、内蔵された発光体１０２が発光するようになっている。
【００３９】
また、ＬＣＤユニット５２の後方の取付板６７には、直方体形状のＲ／Ｗユニット６６が設置されている。Ｒ／Ｗユニット６６は、前面に突設された取付爪３２，３２・・を取付板６７の切り欠き部分に係合させることによって、取付板６７に前面を当接させた状態で設置されている。また、Ｒ／Ｗユニット６６の背面には、アンテナコネクタ３３、中継タグコネクタ３１、およびＬＣＤコネクタ３４が設けられている。さらに、表カバー５４の内側における表示画面５１の側方には、中継タグ７６が設置されている。
【００４０】
また、表カバー５４の前面右側には、店員カード２４９を挿入するための店員カード挿入部８８が、扁平な孔状に設けられている。また、店員カード挿入部８８の下側には、店員カード用アンテナ２０６が設置されており、店員カード挿入部８８内に挿入された店員カード２４９と近接するようになっている。なお、店員カード用アンテナ２０６の構造は、パチンコ機１に設けられた各アンテナと同様であり、基板２７の表面に送受信回路２８を渦巻き状に形成したものである（図８参照）。また、店員カード挿入部８８の右横には、報知ランプ２１０が設けられており、店員カード挿入部８８に所定の店員カード２４９が挿入されたことをＲ／Ｗユニット６６が検出した際に、「通常モード」から「認証モード」に切り替えられ、点灯するようになっている。
【００４１】
一方、表カバー５４の前面左側には、遊技者カードを挿入するための遊技者カード挿入部８９が、扁平な孔状に設けられている。また、遊技者カード挿入部８９の下側には、遊技者カード用アンテナ２０５が設置されており、遊技者カード挿入部８９内に挿入された遊技者カードと近接するようになっている。なお、遊技者カード用アンテナ２０５の構造は、パチンコ機１に設けられた各アンテナおよび店員カード用アンテナ２０６の構造と同様である（図８参照）。なお、この遊技者カードとは、遊技者が所有するものであり、遊技者を特定する「遊技者カード用ＩＤ」である識別情報が記憶されたＩＣタグが内蔵されている。
【００４２】
また、Ｒ／Ｗユニット６６は、アンテナコネクタ３３を介して、同軸ケーブル３０，３０によって店員カード用アンテナ２０６、遊技者カード用アンテナ２０５と接続されている。また、ＬＣＤコネクタ３４を介して、ケーブル１１によってＬＣＤユニット５２と接続されている。さらに、中継タグコネクタ３１を介して、伝送線９９によって中継タグ７６と接続されている。
【００４３】
一方、図１２の如く、Ｒ／Ｗユニット６６の配線８１は、裏カバー５５に穿設された配線孔３５を通って情報表示装置２０１の外部に導かれている。そして、図１４の如く、設置台２０３の前面の島壁８７に穿設された壁孔９０を通って設置台２０３の内部まで導かれている。設置台２０３の内部に導かれたＲ／Ｗユニット６６の配線８１の一部は、設置台２０３の内部においてパチンコ機１の主制御基板３７と接続されている。さらに、その他の配線８１は、設置台２０３の内部を通って、設置台２０３の端部まで導かれて警報表示器４５に接続されている。
【００４４】
また、Ｒ／Ｗユニット６６のＲＦ回路７３（図１５参照）から導出された同軸ケーブル３０，３０・・も、配線８１と同様に、図１２の如く、裏カバー５５に穿設された配線孔３５を通って情報表示装置２０１の外部に導かれており、図１４の如く、島壁８７に穿設された壁孔９０を通って設置台２０３の内部まで導かれている。そして、設置台２０３の内部においてパチンコ機１の各アンテナ（機枠アンテナ２０、ガラス枠アンテナ７８、ケースアンテナ４１）と接続されている。
【００４５】
ｃ．Ｒ／Ｗユニット６６の構成
図１５は、Ｒ／Ｗユニット６６の制御機構を示したものである。Ｒ／Ｗユニット６６は、ＣＰＵ６８、ＲＡＭ６９、ＲＯＭ７０、ＥＥＰＲＯＭ７１、タイマ７２、パチンコ機１に設置された各タグとアンテナとの間でのＲＦ送受信を実行させるためのＲＦ回路７３等を有している。ＣＰＵ６８は、Ｉ／Ｏインタフェイス７４を介して中継タグ７６、情報表示装置２０１の報知ランプ２１０、パチンコ機１の主制御基板３７、警報表示器４５に接続している。また、警報表示器４５は管理装置３００に接続されており、Ｒ／Ｗユニット６６は管理装置３００とも通信可能となっている。なお、図１５には表示しないが、ＣＰＵ６８は、Ｉ／Ｏインタフェイス７４を介して図１０に示す操作スイッチ５６の一部およびＬＣＤユニット５２を接続しており、操作スイッチ５６からの入力に従い、表示画面５１に種々の情報を表示させる制御を行う。
【００４６】
さらに、ＲＦ回路７３が、パチンコ機１に設置された機枠アンテナ２０、ガラス枠アンテナ７８、およびケースアンテナ４１と同軸ケーブル３０を介して接続されている。加えて、ＲＦ回路７３は、遊技者カード用アンテナ２０５および店員カード用アンテナ２０６である認証用アンテナ２０４と同軸ケーブル３０を介して接続された状態になっている。なお、ＥＥＰＲＯＭ７１には、各タグに登録されている識別情報が予め記憶されている。かかるＲ／Ｗユニット６６は、パチンコホールの営業時間内においては、設置台２０３から電源供給されるようになっている。また、パチンコホールの営業時間外においては、内蔵されたバッテリー（図示せず）に蓄積された電力（営業時間内に蓄積された電力）を利用して作動するようになっている。
【００４７】
このように構成されたＲ／Ｗユニット６６は、ＲＦ回路７３を介して各アンテナと各タグとの間で常時（２４時間）ＲＦ送受信を実行させ、各アンテナから呼出波を発信させ、その呼出波を受信したタグから発信された反射波を受信するという監視動作を、短時間（約数十ｍｓ）の周期で繰り返し実行している。そして、上記のような監視動作において、たとえば反射波を受信しなくなった場合等の異常な状態を検知した場合には、ＣＰＵ６８により異常な状態（エラー）と判断され、タイマ７２を利用して、異常な状態を検知した時刻や異常な状態であった時間等を「監視情報」としてＥＥＰＲＯＭ７１に記憶するとともに、警報表示器４５に「監視情報」を送信する。
【００４８】
ｄ．中継タグの構成
図１６は、中継タグ７６の制御機構を示すブロック図である。中継タグ７６は、パチンコ機１に設置された各タグと同様に、タグを呼び出す装置側のアンテナとＲＦ送受信するためのＲＦ回路８０およびアンテナ回路８４を有している。また、中継タグ７６は、パチンコ機１に設置された不正監視に利用される各タグとは異なり、各種の演算を実行するためのＣＰＵ７５を有しているとともに、ＲＦ送受信以外の方法によりＲ／Ｗユニット６６と信号の送受信をするための入出力ポート８５を有しており、Ｉ／Ｏインタフェイス８２を介してＣＰＵ７５に接続している。なお、中継タグ７６は、合成樹脂等により略直方体状に形成されたブロック体内にＲＦ回路８０とＣＰＵ７５とを一体にしたＩＣチップ８３、およびアンテナ回路８４を内蔵した構造を有している。
【００４９】
かかる中継タグ７６は、ＰＤＡ９４との間で、所定の周波数（たとえば、１２５ｋＨｚ）を利用して、ＲＦ送受信を行うことが可能である。そして、中継タグ７６は、ＰＤＡ９４からの呼出波を受信すると、伝送線９９を介してＲ／Ｗユニット６６から「監視履歴情報」を受信し、ＰＤＡ９４にその「監視履歴情報」を反射波にのせて出力する。なお、中継タグ７６とＰＤＡ９４との間で行われるＲＦ送受信は、上記の如く長波帯で行っているため、通信距離が比較的長くなっている。また、中継タグ７６は、ＰＤＡ９４等から送信された呼出波をアンテナ回路８４が受信し、呼出波に含まれた搬送波成分をＲＦ回路８０で整流することによって直流電圧を得ることができるため、外部からの電源供給を受けることなく、常にＲＦ送受信を実行することができる。また、中継タグ７６は、図１０の如く、アンテナ回路８４を捲回させた面を情報表示装置２０１の表カバー５４の前面の裏側に当接させた状態で接着剤等によって強固に接着されている。
【００５０】
一方、図１７は、中継タグ７６からパチンコホールの店員が情報を読み取るためのＰＤＡ９４の外観を示す斜視図であり、図１８は、ＰＤＡ９４の制御機構を示すブロック図である。ＰＤＡ９４は、本体上部にスロットが設けられており、そのスロットには、アンテナ９１とＲＦ回路９２とを備えたＲＦ通信ユニット９３が挿入されている。また、ＰＤＡ９４の正面には、メニューや受信した「監視履歴情報」等を表示する表示画面９５、操作を行うための操作キー９６等が備えられている。さらに、ＰＤＡ９４は、各種の演算処理を行うＣＰＵ１００、受信した「監視履歴情報」等を記憶するフラッシュメモリ９７、外部と通信するためのＩ／Ｏインタフェイス９８等を備えている。そして、ＲＦ通信ユニット９３に備えられたＲＦ回路９２はＩ／Ｏインタフェイス９８を介してＣＰＵ１００に接続している。かかるＰＤＡ９４は、ＲＦ通信ユニット９３を中継タグ７６へ向けて、たとえば、「監視履歴情報」を要求する「監視履歴情報要求信号」を含む呼出波を中継タグ７６へと送信し、中継タグ７６から「監視履歴情報」を含んだ反射波を受信することができ、受信した「監視履歴情報」を表示画面９５に表示することができる。
【００５１】
ｅ．店員カードの構成
図１９は、店員カード２４９の制御機構を示すブロック図である。店員カード２４９は、合成樹脂（ＰＶＣ）製のカードに認証タグである店員カード用タグ２５０を埋め込んだものである。店員カード用タグ２５０は、パチンコ機１に設置された各タグと同様に構成されており、アンテナ回路２５２とＩＣチップ２５３とを有している。ＩＣチップ２５３には、ＥＥＰＲＯＭ２６６と、アンテナ回路２５２に電気的に接続されたＲＦ回路２６７とを有している。そして、ＥＥＰＲＯＭ２６６には、各店員カード２４９の固有のＩＤである「店員カードタグＩＤ」が書き込まれている。
【００５２】
また、管理装置３００には、図２０の如く、各店員カード２４９の「店員カードタグＩＤ」がパチンコホールの店員名と対応付けられた状態で記憶されている。すなわち、パチンコホールの“○○一郎”店員が保持すべきＮＯ．１の店員カード２４９の店員カード用タグ２５０には、４８５２・・・７９ＡＸという「店員カードタグＩＤ」が書き込まれており、パチンコホールの“△△二郎”店員が保持すべきＮＯ．２の店員カード２４９の店員カード用タグ２５０には、６９５７・・・３１ＨＹという「店員カードタグＩＤ」が書き込まれており、管理装置３００の記憶手段（図示せず）には、それらの「店員カードタグＩＤ」が“○○一郎”や“△△二郎”等のパチンコホールの店員名と対応付けられた状態で記憶されている。そして、このような店員カード２４９についての情報は、遊技機用監視システムＳの始動時に、管理装置３００から各Ｒ／Ｗユニット６６，６６・・に送信され、Ｒ／Ｗユニット６６においても店員カード２４９を認識することができるようになる。
【００５３】
（３）監視システムの動作内容
ａ．遊技情報の管理動作
パチンコ機１は、主制御基板ケース３８に収納された主制御基板３７に記憶されたプログラムにしたがって、主たる遊技動作を実行する。そして、発射ハンドル８の回転操作によって遊技領域１３に打ち出された遊技球が図柄始動口１６に入賞すると、主制御基板３７において「抽選」を実行し、「大当たり」を生起させるか否かを決定する。また、「抽選」を実行すると略同時に、図柄表示装置１４の液晶画面１５に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、大入賞装置１７の扉部材６１を所定回数だけ断続的に開放させる。なお、大入賞装置１７の扉部材６１は、「大当たり状態」生起時以外では開放しないようになっている。さらに、特定の「大当たり図柄」が表示された後には、「大当たり状態」の終了後、次の「大当たり状態」が生起するまで、「抽選」における「大当たり」の生起確率を増大させる「高確率状態」を生起させる。一方、扉部材６１の内部の大入賞口や各種の入賞装置に遊技球が入賞した場合には、遊技球払出装置６３の作動によって所定数の遊技球を賞品球として供給皿６に払い出す。
【００５４】
また、パチンコ機１は、電源投入後に図柄変動が実行される毎に、「図柄変動実行信号」をＲ／Ｗユニット６６に送信する。また、遊技球が遊技領域１３の最下位置に設けられたアウト口５３を通過する毎に、「アウト球検出信号」をＲ／Ｗユニット６６に送信し、遊技球払出装置６３が賞品球を払い出す毎に、「賞品球払出信号」をＲ／Ｗユニット６６に送信する。さらに、「大当たり状態」が生起した場合には「大当たり生起信号」をＲ／Ｗユニット６６に送信し、「高確率状態」が生起した場合には「確変生起信号」をＲ／Ｗユニット６６に送信する。
【００５５】
また、Ｒ／Ｗユニット６６は、パチンコ機１から「図柄変動実行信号」、「アウト球検出信号」、「賞品球払出信号」、「大当たり生起信号」、「確変生起信号」を受信すると、それらの信号の積算受信回数を信号の種類別に「遊技情報」として所定のタイミングでＲＡＭ６９内に記憶する。また、新たな信号を受信する毎に、記憶している積算受信回数を更新する。そして、情報表示装置２０１の操作スイッチ５６が操作された場合には、操作された操作スイッチ５６の種類に応じて、最新の「遊技情報」をＥＥＰＲＯＭ７１内から取り出し、ＣＰＵ６８の機能によって、非入賞球の総数に関する「アウト情報」、払い出したすべての賞品球数に関する「賞球情報」、図柄の積算変動回数に「スタート情報」、「大当たり状態」の積算生起回数に関する「大当たり情報」、「高確率状態」の積算生起回数に関する「確変情報」等に換算して、ＬＣＤユニット５２の表示画面５１に表示する。なお、Ｒ／Ｗユニット６６は、ＣＰＵ６８の機能によって、「アウト情報」、「賞球情報」、「スタート情報」、「大当たり情報」、「確変情報」を所定の期間毎（たとえば、前日分等）に区分して、ＬＣＤユニット５２の表示画面５１に表示することができるようになっている。
【００５６】
加えて、Ｒ／Ｗユニット６６は、所定時間毎に、ＥＥＰＲＯＭ７１内に記憶された「遊技情報」を管理装置３００に送信するようになっている。一方、Ｒ／Ｗユニット６６から「遊技情報」を受信した管理装置３００は、内蔵された記憶手段（図示せず）内に、それらの「遊技情報」をパチンコ機１の機台別に記憶する。かかる動作によって、Ｒ／Ｗユニット６６のみならず、管理装置３００においても「遊技情報」の管理が可能となる。
【００５７】
ｂ．不正行為の監視動作
各情報表示装置２０１，２０１・・に内蔵されたＲ／Ｗユニット６６は、パチンコ機１に設置された各タグ（機枠タグ２１、ガラス枠タグ７７、ケースタグ４０）とアンテナ（機枠アンテナ２０、ガラス枠アンテナ７８、ケースアンテナ４１）との間におけるＲＦ送受信を利用して、パチンコ機１において不正に遊技枠３等を開放させる不正行為が行われているか否かの監視動作を実行する。なお、かかる監視動作は、図２２のフローチャートの如き不正監視プログラムによる各監視場所に設置されたタグとのＲＦ送受信が順次繰り返し行なわれる。
【００５８】
ここでは、機枠タグ２１と機枠アンテナ２０とのＲＦ送受信による監視を例にして、説明する。かかる不正監視プログラムにおいては、Ｒ／Ｗユニット６６は、ＲＦ回路７３によって、遊技枠３に取り付けられている機枠アンテナ２０を介して、パチンコ機１の機枠２に固着されている機枠タグ２１へ所定の周波数（１３．５６ＭＨｚ）の呼出波を送信（ＲＦ送信）する（Ｓ１）。そこで、機枠タグ２１が呼出波を受けると、直ちにＥＥＰＲＯＭ２４内から「識別情報」を呼び出し、その「識別情報」を含めた反射波を返信（ＲＦ送信）する。機枠タグ２１が反射波を送信すると、Ｒ／Ｗユニット６６は、機枠アンテナ２０によって、その反射波を受信する（Ｓ２：ＹＥＳ）。そして、Ｒ／Ｗユニット６６は、機枠タグ２１からの反射波に含まれる「識別情報」が、Ｒ／Ｗユニット６６のＥＥＰＲＯＭ７１に予め記憶されている「店員カードタグＩＤ］と一致するか否かをＣＰＵ６８により判断し（Ｓ３）、記憶されたものと同一であると確認した場合には（Ｓ３：ＹＥＳ）、機枠タグ２１と機枠アンテナ２０とのＲＦ送受信が正常に行われ、かつ、機枠タグ２１は正規のものである「正常な状態」ということになるので、この監視場所についての処理は終了し、次の監視場所の処理又はその他の処理へ進む。
【００５９】
しかしながら、Ｓ２において、呼出波を送信してから所定時間（たとえば、５０ｍｓ）内に反射波を受信しなかった場合には（Ｓ２：ＮＯ）、Ｒ／Ｗユニット６６は、機枠タグ２１と機枠アンテナ２０とのＲＦ送受信ができない「異常な状態」（エラー）であると判断される。また、Ｓ３において、Ｒ／Ｗユニット６６は、機枠タグ２１からの反射波に含まれる「識別情報」が、予めＥＥＰＲＯＭ７１に登録されているものと一致しなかった場合にも（Ｓ３０：ＮＯ）、Ｒ／Ｗユニット６６は、正規のタグでないＩＣタグが応答した「異常な状態」（エラー）であると判断される。そこで、「異常な状態」となったことをＥＥＰＲＯＭ７１に記憶し、警報発生のために警報表示器４５へ情報を送信するが、「認証モード」である場合には、警報を発生させないため、「通常モード」とは異なる処理が行われることとなる。そこで、「認証モード」であるか否かの判断が行われる（Ｓ４）。
【００６０】
そして、「通常モード」であり「認証モード」でない場合には（Ｓ４：ＮＯ）、タイマ７２を利用して、登録されていない識別情報を含む反射波を受信した時刻、パチンコ機１の台番号、異常な状態となった監視場所を示すコード等を、「監視情報」としてＥＥＰＲＯＭ７１に記憶する（Ｓ５）。次いで、警報表示器４５および管理装置３００に「監視情報」を送信する（Ｓ６）。そして、この監視場所についての処理は終了し、次の監視場所の処理又はその他の処理へ進む。また、「認証モード」である場合には（Ｓ４：ＹＥＳ）、タイマ７２を利用して、登録されていない識別情報を含む反射波を受信した時刻、パチンコ機１の台番号、異常な状態となった監視場所を示すコード、「認証モード」とした「店員カードタグＩＤ」等を、「作業履歴情報」としてＥＥＰＲＯＭ７１に記憶する（Ｓ７）。次いで、管理装置３００に「作業履歴情報」を送信する（Ｓ８）。そして、この監視場所についての処理は終了し、次の監視場所の処理又はその他の処理へ進む。
【００６１】
なお、「通常モード」であるか「認証モード」であるかは、フラグやコードなどを用いて管理する。たとえば、「通常モード」では「０」、「認証モード」では「１」とするモードフラグを使用する。このモードフラグは、後に「ｄ．店員カードによる認証動作」で説明するように、正規の店員カード２４９を認識すると「１」とされ、「認証モード」終了のタイミングとなると「０」とされる。
【００６２】
なお、フローチャートには記載しないが、フラグなどを用いて「異常な状態」であるか、正常な状態であるかを記録しておき、「監視情報」のＥＥＰＲＯＭ７１への記憶（Ｓ５）や警報表示器４５および管理装置３００への「監視情報」の送信（Ｓ６）、「作業履歴情報」のＥＥＰＲＯＭ７１への記憶（Ｓ７）や管理装置３００への「作業履歴情報」の送信（Ｓ８）は、「異常な状態」から引き続いて「異常な状態」を検出した場合には、行わないようにする。また、「異常な状態」から「正常な状態」へと復帰した場合には（Ｓ２：ＹＥＳ，Ｓ３：ＹＥＳ）、正常な状態へと復帰した時刻や、「異常な状態」であった時間を、「監視情報」としてＥＥＰＲＯＭ７１に記憶したり、警報表示器４５および管理装置３００へ送信したりしてもよい。
【００６３】
また、Ｒ／Ｗユニット６６は、遊技枠３の開閉状態の監視動作と同様に、ガラス枠タグ７７とガラス枠アンテナ７８との間におけるＲＦ送受信を利用してガラス枠４の不正開放に対する監視動作を実行し、ケースタグ４０とケースアンテナ４１との間におけるＲＦ送受信を利用してパチンコ機１の主制御基板ケース３８の監視動作をも実行する。そして、ＲＦ送受信において「異常な状態」（エラー）を検知した場合には、上述した「監視情報」をＥＥＰＲＯＭ７１に記憶する。
【００６４】
このようにＲ／Ｗユニット６６は、パチンコ機１の各監視場所の監視動作を、短時間（約数十ｍｓ）の周期で２４時間繰り返し実行し、ＩＣタグと繰り返しＲＦ送受信（無線通信）を行っている。そして、前述したように、機枠タグ２１と機枠アンテナ２０とは、間隔が約３ｍｍ以内となっている場合にのみＲＦ送受信ができるように設定されている。したがって、ほんの少しの時間、わずかな隙間だけ遊技枠３やガラス枠４、主制御基板ケース３８を開放したとしても、ＩＣタグとのＲＦ送受信は断たれるので「異常な状態」（エラー）となり、その不正行為を検知することができる。
【００６５】
なお、警報表示器４５は「監視情報」を受信すると、表示器４６に所定のメッセージを表示するとともに、警報ランプ４７を所定の態様で発光させる。かかる警報ランプ４７の発光によって、パチンコホールの店員の注意が促されることになる。一方、管理装置３００は「監視情報」を受信すると、異常な状態となった日時、パチンコ機１の台番号、異常な状態となった監視場所を示す文言を、図２１の如き態様で「開放情報」として表示装置（図示せず）に表示する。また、「作業履歴情報」を受信すると、作業が行われた日時、パチンコ機１の台番号、作業が行われた場所、作業を行った店員名等を示す文言を、図２１の如き態様で「作業履歴情報」として表示装置に表示する。なお、「開放情報」は、点灯させる、又は、目立つ色を使用するなど、「作業履歴情報」等の他の監視履歴情報とは異なる態様で、店員の目を惹くために目立つように表示される。
【００６６】
ｃ．監視履歴情報の提供動作
一方、監視システムＳにおいては、ＥＥＰＲＯＭ７１に記憶される「監視履歴情報」を、ＰＤＡ９４を用いて、中継タグ７６から取り出し、外部で管理することができる。以下、中継タグ７６による「監視履歴情報」の提供動作を説明する。
【００６７】
店員は、ＰＤＡ９４において、表示画面９５に表示される画面を操作し、たとえば「監視履歴取得」、「監視履歴クリア」といったメニューを選択する。そして、ＰＤＡ９４のＲＦ通信ユニット９３を、情報表示装置２０１の方へ向け、ＰＤＡ９４と中継タグ７６とがＲＦ送受信可能な状態とし、選択したメニューを実行する。
【００６８】
ＰＤＡ９４では、メニューの実行が指示されると、アンテナ９１からメニュー内容に従った信号、たとえば、「監視履歴送信要求信号」、「監視履歴クリア信号」を含む呼出波が送信される。そこで、中継タグ７６側では、アンテナ回路８４がこの呼出波を受信し、各信号に対応した処理が中継タグ７６および中継タグ７６の接続したＲ／Ｗユニット６６で行われて、その結果をのせた反射波を送信してくる。そこで、ＰＤＡ９４では、中継タグ７６からの反射波を受信すれば、その中にのせられている結果に従った処理が行われる。たとえば、「監視履歴送信要求信号」に対して監視履歴情報が送信されてきた場合には、表示画面９５に監視履歴情報が表示される。また、「監視履歴クリア信号」に対して監視履歴情報のクリアを完了した旨の情報が送信されてきた場合には、「監視履歴クリア完了」等のメッセージが表示画面９５に表示される。また、エラー情報が送信されてきた場合には、エラー情報が表示画面９５に表示される。
【００６９】
一方、中継タグ７６では、何らかの信号が含まれている呼出波を受信すると、その信号の指示にしたがった処理を行う。呼出波に含まれている信号が「監視履歴送信要求信号」であれば、中継タグ７６はＲ／Ｗユニット６６のＥＥＰＲＯＭ７１に記憶されている「監視履歴情報」を読み出し、その「監視履歴情報」を反射波にのせて発信する。また、「監視履歴クリア信号」であれば、Ｒ／Ｗユニット６６に対して、ＥＥＰＲＯＭ７１に記憶されている「監視履歴情報」をクリアする指示が行われる。そして、Ｒ／Ｗユニット６６からクリア完了の信号を受け取ったら、クリア完了の情報をのせた反射波を発信する。なお、「監視履歴情報」の読み出しができなかったり、クリア完了の信号を受け取れなかったりした場合には、エラー情報を含む反射波が発信される。
【００７０】
このようにして、店員がＰＤＡ９４を操作して、中継タグ７６と通信することにより、Ｒ／Ｗユニット６６の監視履歴情報を閲覧したり、監視履歴情報をクリアしたりすることができる。なお、ＰＤＡ９４で行うことのできるメニューはこれらに限らず、他の処理を行わせるようにしてもよい。
【００７１】
ｄ．店員カードによる認証動作
上述の如く、Ｒ／Ｗユニット６６は、通常の状態においては、「ｂ．不正行為の監視動作」において図２２のフローチャートを参照して説明したように、ＩＣタグによりパチンコ機１の状態を監視している。
【００７２】
店員カード挿入部８８は、店員カード２４９が挿入されると、店員カード用アンテナ２０６と店員カード用タグ２５０との間のＲＦ送受信が可能となるように構成されている。Ｒ／Ｗユニット６６では、監視動作を行いつつ、店員カード用アンテナ２０６から呼出波を短い周期で繰り返し送信している。そこで、店員カード挿入部８８に挿入され、ＲＦ送受信可能となった店員カード用タグ２５０は、店員カード用アンテナ２０６からの呼出波を受信することになり、その店員カード２４９に固有の「店員カードタグＩＤ」（店員用カードタグ２５０の「識別情報」）を含む反射波を送信する。そして、Ｒ／Ｗユニット６６は、送信された反射波を受信することになる。そこで、Ｒ／Ｗユニット６６は、その反射波を送信した店員カード用タグ２５０が有効なものであるか否かを判断する。Ｒ／Ｗユニット６６は、監視システムＳの始動時に、管理装置３００から店員カード２４９に関する情報を受信しており、管理装置３００と同様に、店員カード２４９の店員カード用タグ２５０に記憶された「店員カードタグＩＤ」を、有効なすべての店員カード２４９の番号別に、ＥＥＰＲＯＭ７１内に記憶している（図２０参照）。
【００７３】
そして、Ｒ／Ｗユニット６６は、店員カード用タグ２５０から受信した反射波に含められた「店員カードタグＩＤ」がＥＥＰＲＯＭ７１内に記憶されたものであると判断した場合には、「通常モード」から「認証モード」に切り替える。この「認証モード」では、パチンコ機１の各タグとアンテナとが送受信不能になった場合でも警報表示器４５で警報を発生させない。具体的には、「ｂ．不正行為の監視動作」で説明したように、モードフラグを設け、店員カード用タグ２５０から受信した反射波に含められた「店員カードタグＩＤ」がＥＥＰＲＯＭ７１内に記憶されたものであると判断した場合には、モードフラグに「１」をセットして「認証モード」とし、その日時および「店員カードタグＩＤ」を「監視履歴情報」の一種である「アクセス履歴情報」としてＥＥＰＲＯＭ７１に記憶され、管理装置３００へこの「アクセス履歴情報」が送信される。
【００７４】
そして、前述したように、「異常な状態」となったとしても（Ｓ２：ＮＯ又はＳ３：ＮＯ）、「認証モード」中であれば（Ｓ４：ＮＯ）、「監視情報」をＥＥＰＲＯＭ７１への記憶（Ｓ４）や警報表示器４５および管理装置３００への送信（Ｓ６）を行わず、作業履歴情報をＥＥＰＲＯＭ７１へ記憶し（Ｓ７）、作業履歴情報を管理装置３００へのみ送信して（Ｓ８）、警報表示器４５において警報を発生させないようにしている。
【００７５】
なお、店員カード用タグ２５０が検知され、「認証モード」に切り替えた後、内部クロックであるＲＴＣを用いて、所定時間（たとえば、５分）経過したことを検知して、その後全てのタグとアンテナの送受信が「正常な状態」となったとなった際にモードフラグに「０」をセットして「通常モード」へ移行させている。
【００７６】
このように、監視状態が「認証モード」となることによって、パチンコホールの店員がメンテナンス作業等のためにパチンコ機１の遊技枠３を開放した場合、ガラス枠４を開放した場合、あるいは、主制御基板ケース３８を開放した場合に、不正が行われているわけではないにも関わらず、警報表示器４５へ「監視情報」が送信されてしまい、警報が発生するという事態が回避される。よって、店員はメンテナンス作業等を行う場合には、店員カード挿入部８８に店員カード２４９を挿入、引き出しして、「認証モード」へ移行させる。
【００７７】
また、店員カード２４９の店員カード用タグ２５０店員カード用アンテナ２０６とが通信を行い、ＥＥＰＲＯＭ７１に記憶されている「店員カードタグＩＤ」が反射波に含まれており（「店員カードタグＩＤ」が入力され）、「認証モード」に切り替わった場合には、それを外からわかるように報知するために、報知ランプ２１０を点灯させる。よって、「認証モード」となっている場合には、報知ランプ２１０により店員がそれを認識することができるので、店員は、報知ランプ２１０が点灯していれば「認証モード」であるということが判り、安心してメンテナンス作業等を行うことができる。また、逆に、報知ランプ２１０が点灯しておらず「通常モード」である際に、メンテナンス作業等を行ってしまい、不正行為を行ったわけでないにもかかわらず、警報表示器４５において警報が発生してしまうことがなくなる。
【００７８】
また、Ｒ／Ｗユニット６６は、店員カード用アンテナ２０６が反射波を受信し、有効なカードであると判断した場合に、「アクセス履歴情報」がＥＥＰＲＯＭ７１に記憶されいる。かかる動作によって、何時にどの店員カードによって「認証モード」に切り替えられたかを履歴として記録することができる。なお、「アクセス履歴情報」としては、有効なカードでなかった場合にも、反射波受信の日時および「店員カードタグＩＤ」の他に有効なカードであったか否かの判断結果等を記憶してもよい。これにより、Ｒ／Ｗユニット６６に不正の店員カードでアクセスされた記録も残すことができる。
【００７９】
さらに、Ｒ／Ｗユニット６６は、「認証モード」中における不正行為の監視動作において「異常な状態」となった場合には、その時刻と、切断されたタグおよびアンテナの種類とを、認証された「店員カードタグＩＤ」と対応させて「監視履歴情報」の一種である「作業履歴情報」としてＥＥＰＲＯＭ７１に記憶されている。かかる動作によって、Ｒ／Ｗユニット６６において「作業履歴情報」の管理が可能となる。
【００８０】
そして、Ｒ／Ｗユニット６６からこれらの「監視履歴情報」を受信した管理装置３００は、内蔵された記憶手段（図示せず）内に、それらの「監視履歴情報」をパチンコ機１の機台別に記憶する。かかる動作によって、Ｒ／Ｗユニット６６のみならず、管理装置３００においても「監視履歴情報」の管理が可能となる。
【００８１】
（４）監視システムの効果
監視システムＳは、上記の如く、ＩＣタグとアンテナとが各パチンコ機１，１・・に搭載されているとともに、各パチンコ機に固有の監視制御装置であるＲ／Ｗユニット６６が設置されているため、パチンコ機１，１・・に対する不正行為の有無を効果的に監視することができる。また、Ｒ／Ｗユニット６６，６６・・が各パチンコ機１，１・・とは別の位置に設置されているため、パチンコホールに設置された既存のパチンコ機を利用して、改造等を要することなく非常に容易に不正監視システムを導入することができる。さらに、監視システムＳによれば、パチンコ機１，１・・の作動を停止させることなく、Ｒ／Ｗユニット６６，６６・・の設置作業やメンテナンス作業を行うことができる。
【００８２】
また、監視システムＳは、Ｒ／Ｗユニット６６，６６・・が設置台２０３に設置されているため、パチンコホールに設置された既存のパチンコ機を利用してシステムを導入する場合に、新たなスペースを設けることなく非常に容易にＲ／Ｗユニット６６，６６・・を設置することができる。
【００８３】
さらに、監視システムＳは、各パチンコ機１，１・・が機枠（支持部材）２に遊技枠（扉）３を開閉自在に設けたものであり、それらの遊技枠３に機枠アンテナ２０が設置されているとともに機枠２に機枠タグ２１が設置されており、遊技枠３が開放されると、機枠タグ２１と機枠アンテナ２０とが無線通信可能な距離を超えて離反するため、各パチンコ機１，１・・の遊技枠３が開放された状態で行われる不正行為を集中的に効率良く監視することができる。
【００８４】
加えて、監視システムＳは、パチンコ機１の作動を制御する主制御基板３７がカバーである前ケース４２および後ケース４３に覆われた状態で各パチンコ機１，１・・に設置されており、その前ケース４２および後ケース４３が取り外された場合には、各パチンコ機１，１・・に搭載されたケースタグ４０とケースアンテナ４１とが無線可能な距離を超えて離反するため、各パチンコ機１，１・・の主制御基板３７に対して行われる不正行為を集中的に効率良く監視することができる。
【００８５】
また、監視システムＳは、Ｒ／Ｗユニット６６のＥＥＰＲＯＭ（記憶手段）７１に記憶された「監視履歴情報」を外部に出力するための中継タグ７６が、Ｒ／Ｗユニット６６とともに設置台２０３に設置されているため、中継タグ７６を利用して、各パチンコ機１，１・・の外部からパチンコ機１，１・・に対する不正行為の履歴を効率良く参照することができる。また、新たなスペースを設けることなく非常に容易に中継タグ７６を設置することができる。
【００８６】
さらに、監視システムＳは、Ｒ／Ｗユニット６６による監視状態を「通常モード」から「認証モード」へシフトさせるための店員カード２４９が所定の距離内に配置された場合にのみ、その店員カード２４９と無線通信を実行する店員カード用アンテナ２０６が、Ｒ／Ｗユニット６６とともに設置台２０３に設置されているため、パチンコホールの店員が店員カード用アンテナ２０６を利用して、パチンコ機１に設置されたＩＣタグとアンテナとによる監視状態を非報知状態（認証モード）に切り替えて、パチンコ機１のメンテナンス作業を実行することができる。さらに、新たなスペースを設けることなく非常に容易に認証用アンテナ２０４を設置することができる。また、報知ランプ２１０の点灯により、店員カード２４９の店員カード用アンテナ２０６がＲ／Ｗユニット６６に検知され、監視状態が「通常モード」から「認証モード」に切り替わったことを店員が容易に知ることができるため、店員が「通常モード」時に誤ってメンテナンス作業を行おうとして、パチンコ機１に触って、エラーとなってしまうことを防ぐことができる。
【００８７】
加えて、監視システムＳは、各パチンコ機１，１・・の遊技に関連した情報を表示するための情報表示装置２０１が各パチンコ機１，１・・毎に設置台２０３に設けられており、各情報表示装置２０１の内部に各パチンコ機１，１・・に固有のＲ／Ｗユニット６６が設置されているため、既存設備を利用した不正監視システムの導入をきわめて容易に行うことができる。また、中継タグ７６や認証用アンテナ２０４が情報表示装置２０１の内部に設置されているので、ホール管理者が中継タグ７６を利用する場合や遊技者が認証用アンテナ２０４を利用する場合の利便性に優れている。
【００８８】
加えて、監視システムＳは、各パチンコ機１，１・・の主制御基板３７がＲ／Ｗユニット６６を介して警報表示器４５と管理装置３００とに接続されており、配線がシンプルであるため、信号の送受信の際にエラーが生じにくい。また、既存のパチンコホールに導入する際に、容易に配線することができる。
【００８９】
（５）実施例の監視システムの変更例
なお、本発明の監視システムの構成は、上記実施形態の態様に何ら限定されるものではなく、遊技機、Ｒ／Ｗユニット、中継タグ、認証用アンテナ、ＩＣタグ、アンテナ、警報表示器、管理装置等の形状・構造等の構成を、本発明の趣旨を逸脱しない範囲で、必要に応じて適宜変更することができる。
【００９０】
たとえば、監視システムは、パチンコ機の機枠、ガラス枠、主制御基板ケースにＩＣタグとアンテナとを設けたものに限定されず、大入賞装置の扉部材等の部位にＩＣタグとアンテナとを設けたものでも良い。また、監視システムは、監視履歴情報を管理装置に送信するものに限定されず、インターネット等の回線を通じてパチンコホールの外部に監視履歴情報を送信するもの等でも良い。
【００９１】
また、監視システムは、パチンコ機の主制御基板と監視制御装置と警報表示器と管理装置とを有線によって接続したものに限定されず、それらの装置を無線によって接続したものに変更することも可能である。さらに、監視システムは、監視制御装置を介してパチンコ機の主制御基板と警報表示器あるいは管理装置とを接続したものに限定されず、パチンコ機の主制御基板を直接に警報表示器あるいは管理装置と接続したものに変更することも可能である。加えて、監視システムは、必ずしも警報表示器を有するものに限定されず、パチンコ機の主制御基板、監視制御装置、および管理装置のみを接続したものでも良い。
【００９２】
また、上記実施の形態では、店員カード挿入部８８は店員カード２４９を挿入したまま保持可能な構成ではないが、挿入したまま保持可能な形状としてもよい。また、その場合には、店員カード用タグ２５０と店員カード用アンテナ２０６とのＲＦ送受信が開始された（店員カードタグＩＤも一致）した時点で「認証モード」とし、ＲＦ送受信が切断された時点で「通常モード」へ戻すようにしてもよい。また、切断されてから所定時間経過後に「通常モード」へ戻すようにしてもよい。
【００９３】
また、システムは、遊技者カード挿入部に遊技者カードが挿入された場合に、遊技者カードと遊技者カード用アンテナとの間でＲＦ送受信が可能となり、遊技者カードのタグに最新の「遊技情報」を書き込むことができるように構成することも可能である。
【００９４】
一方、Ｒ／Ｗユニットは、パチンコホールの営業時間中に設置台から電源供給を受けるものに限定されず、常時、内蔵したバックアップ電源や外部のバックアップ電源から電源供給を受けるもの等でも良い。また、内蔵されたバッテリーがパチンコホールの営業時間中に蓄えた電力によってパチンコホールの営業時間外に作動するものに限定されず、常時（２４時間）設置台から電源供給されるものに変更することも可能である。さらに、Ｒ／Ｗユニットは、消失時刻や復帰時刻等の監視履歴情報をＥＥＰＲＯＭに記憶するものに限定されず、ハードディスクや光ディスク等の媒体に記憶するものや、監視履歴情報をＲＡＭに一時的に記憶して外部の管理機等に出力した後に消去するもの等でも良い。また、Ｒ／Ｗユニットは、「遊技情報」をＲＡＭに記憶するものに限定されず、ＥＥＰＲＯＭ等のＲＡＭとは異なる記憶手段に記憶するものでも良い。
【００９５】
加えて、遊技機の各部位に設けるＩＣタグは、上記実施形態の如く、小型で扁平な長方形状のものに限定されず、コイン型やスティック型等の別の形状を有するものでも良い。また、上記実施形態の如く、電磁誘導方式によってアンテナと信号の送受信を行うものに限定されず、電磁結合方式、マイクロ波方式、光方式等の別の方法によって、アンテナと信号の送受信を行うものに変更することができる。さらに、ＩＣタグやアンテナの取付方法は、所定の部材や装置に接着する方法に限定されず、所定の部材や装置に一体的にモールディングする方法等の別の方法を採用することができる。加えて、ＩＣタグやアンテナを、所定の場所から剥がすと機能しなくなるように構成することも可能である。さらに、ＩＣタグは、アンテナからの呼出波を受信すると、予め登録されている識別情報を含む反射波を返信する動作のみを実行するものに限定されず、アンテナからの呼出波にのせて送信されてきた特定のデータを記憶手段に記憶するものに変更することも可能である。
【００９６】
なお、本発明の監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００９７】
本発明の遊技機用監視システムは、各種の遊技機用の監視システムとして好適に用いることができる。
【図面の簡単な説明】
【００９８】
【図１】監視システムを示すブロック図である。
【図２】監視システムを導入したパチンコホールの外観を示す説明図である。
【図３】パチンコ機の正面図である。
【図４】遊技枠および前面枠を開放したパチンコ機の斜視図である。
【図５】パチンコ機の背面図である。
【図６】ＩＣタグの正面図である。
【図７】ＩＣタグの制御機構を示すブロック図である。
【図８】アンテナの正面図である。
【図９】メイン制御ボックスの分解斜視図である。
【図１０】情報表示装置の斜視図である。
【図１１】情報表示装置の分解斜視図（前方からみた分解斜視図）である。
【図１２】情報表示装置の分解斜視図（後方からみた分解斜視図）である。
【図１３】情報表示装置の背面図（裏カバーを取り外した状態）である。
【図１４】情報表示装置の配線状態を示す断面図（設置台を鉛直方向に切断した断面図）である。
【図１５】Ｒ／Ｗユニットの制御機構を示すブロック図である。
【図１６】中継タグの制御機構を示すブロック図である。
【図１７】ＰＤＡの斜視図である。
【図１８】ＰＤＡの制御機構を示すブロック図である。
【図１９】店員カードの制御機構を示すブロック図である。
【図２０】管理装置に「店員カードタグＩＤ」が記憶されている状態を示す説明図である。
【図２１】管理装置の表示装置に「監視履歴情報」が表示された状態を示す説明図である。
【図２２】パチンコ機の監視動作を実行するためのプログラムを示すフローチャートである。
【符号の説明】
【００９９】
１  パチンコ機
２  機枠
３  遊技枠
２０  機枠アンテナ
２１  機枠タグ
３７  主制御基板
３８  主制御基板ケース
４０  ケースタグ
４１  ケースアンテナ
６６  Ｒ／Ｗユニット（監視制御装置）
６８  ＣＰＵ
７１  ＥＥＰＲＯＭ
７７  ガラス枠タグ
７８  ガラス枠用アンテナ
２０１  情報表示装置
２０４  認証用アンテナ
２０６  店員カード用アンテナ
２１０  報知ランプ
２４９  店員カード
２５０  店員カード用タグ
Ｓ  監視システム
【図１】
2005342024.tif 000003
【図２】
2005342024.tif 000004
【図３】
2005342024.tif 000005
【図４】
2005342024.tif 000006
【図５】
2005342024.tif 000007
【図６】
2005342024.tif 000008
【図７】
2005342024.tif 000009
【図８】
2005342024.tif 000010
【図９】
2005342024.tif 000011
【図１０】
2005342024.tif 000012
【図１１】
2005342024.tif 000013
【図１２】
2005342024.tif 000014
【図１３】
2005342024.tif 000015
【図１４】
2005342024.tif 000016
【図１５】
2005342024.tif 000017
【図１６】
2005342024.tif 000018
【図１７】
2005342024.tif 000019
【図１８】
2005342024.tif 000020
【図１９】
2005342024.tif 000021
【図２０】
2005342024.tif 000022
【図２１】
2005342024.tif 000023
【図２２】
2005342024.tif 000024